(57)【要約】【課題】内部に球状の蓄光部材を多数充填したケース部材を光源に対して相対的に移動させながら、光源を介して蓄光部材の全体に光を照射することにより、蓄光部材の全体に渡って均一に蓄光させることが可能となり、光源の消灯時に蓄光部材全体を効率良く発光させることが可能な遊技機の補助演出装置を提供する。【解決手段】  補助演出装置５０において、回転演出部材５３が駆動モータ、駆動ギア５８及び被動ギア部５３Ｆを介して回転駆動されている間に、各ＬＥＤ発光素子５７の発光制御を介して蓄光部材５５に光を照射して回転演出部材５３の回転駆動に伴う蓄光部材５５の転動に対応して蓄光部材５５に蓄光させ、また、各ＬＥＤ発光素子５７の消灯制御を行った際に、回転する回転演出部材５３の内部で蓄光部材５５を発光させるように構成する。【選択図】図５
2011092393.tif 000002
【特許請求の範囲】
【請求項１】
ケース部材と、
前記ケース部材に収容され、ケース部材内で遊動可能な球状の蓄光部材と、
前記ケース部材の周囲に配設され、前記蓄光部材に光を照射する光源と、
前記ケース部材を動かせ、前記蓄光部材を転動させる駆動手段とを備え、
前記光源は、前記ケース部材が駆動手段により動かされている間に前記蓄光部材に光を照射することを特徴とする遊技機の補助演出装置。
【請求項２】
リング状の溝部が形成された円形状のケース部材と、
前記ケース部材の溝部に収納され、溝部内で遊動可能に多数充填された球状の蓄光部材と、
前記ケース部材の周囲に配設され、前記蓄光部材に光を照射する光源と、
前記ケース部材を動かせ、前記蓄光部材を転動させる駆動手段とを備え、
前記光源は、前記ケース部材が駆動手段により動かされている間に前記蓄光部材の全体に光を照射し、
前記駆動手段は、
前記溝部のリング形状に沿ってケース部材の周囲に形成された被動ギア部と、
前記被動ギア部に噛合される駆動ギアを有する回転駆動手段とから構成され、
前記ケース部材は、前記回転駆動手段により回転駆動される駆動ギア及び前記被動ギア部を介して回転されることを特徴とする遊技機の補助演出装置。
【請求項３】
前記リング状の溝部には、溝部内にて前記蓄光部材を所定量ずつ集合して整列させる複数個の突起状の整列部材が設けられていることを特徴とする請求項２に記載の遊技機の補助演出装置。
【発明の詳細な説明】
【技術分野】
【０００１】
本発明は、パチンコ機等の遊技機に使用される補助演出装置に関する。
【背景技術】
【０００２】
従来、パチンコ機等の遊技機においては、その遊技状態に対応して演出効果を高めるために各種の電飾装置が搭載されている。
【０００３】
例えば、特開２００２−１９１７８２には、図柄表示装置を構成するドラムユニットのケース内に回転可能に支持されたドラムの胴に複数種類の図柄が印刷された透明フィルムを貼着するとともに、各図柄の内特定図柄のみを蓄光性蛍光体を含んだインクで印刷し、各種パターンで蛍光管の点滅発光制御を行うことにより蛍光管の光が遮断された際に特定図柄の蛍光発光を介して特定図柄の色を変化させるようにしたパチンコ機が記載されている。かかる構成に基づき、特開２００２−１９１７８２のパチンコ機では、ドラム式の図柄表示装置において図柄の見え方に変化を与えることができる。
【先行技術文献】
【特許文献】
【０００４】
【特許文献１】特開２００２−１９１７８２号公報
【発明の概要】
【発明が解決しようとする課題】
【０００５】
しかしながら、前記特許文献１に記載されたパチンコ機の図柄表示装置では、各ドラムのフィルムに印刷される特定図柄のみを蓄光蛍光体を含むインクで印刷するものであり、従って、ドラムの胴の内部に配設された蛍光管の光は、特定図柄を印刷してなる透明フィルムの裏面側にしか照射され得ない。
【０００６】
本発明は前記従来技術の問題点を解消するためになされたものであり、内部に球状の蓄光部材を多数充填したケース部材を光源に対して相対的に移動させながら、光源を介して蓄光部材の全体に光を照射することにより、蓄光部材の全体に渡って均一に蓄光させることが可能となり、光源の消灯時に蓄光部材全体を効率良く発光させることが可能な遊技機の補助演出装置を提供することを目的とする。
【課題を解決するための手段】
【０００７】
前記目的を達成するため請求項１に係る遊技機の補助演出装置は、ケース部材と、前記ケース部材に収容され、ケース部材内で遊動可能な球状の蓄光部材と、前記ケース部材の周囲に配設され、前記蓄光部材に光を照射する光源と、前記ケース部材を動かせ、前記蓄光部材を転動させる駆動手段とを備え、前記光源は、前記ケース部材が駆動手段により動かされている間に前記蓄光部材に光を照射することを特徴とする。
【０００８】
前記請求項１に係る遊技機の補助演出装置では、ケース部材が駆動手段により駆動されて蓄光部材が転動している間に、光源を介して蓄光部材に光が照射されるように構成されているので、ケース部材の駆動に伴う蓄光部材の転動に対応して蓄光部材に蓄光させることが可能となるとともに、光源の消灯時に蓄光部材を発光させることが可能となる。
【０００９】
請求項２に係る遊技機の補助演出装置は、リング状の溝部が形成された円形状のケース部材と、前記ケース部材の溝部に収納され、溝部内で遊動可能に多数充填された球状の蓄光部材と、前記ケース部材の周囲に配設され、前記蓄光部材に光を照射する光源と、前記ケース部材を動かせ、前記蓄光部材を転動させる駆動手段とを備え、前記光源は、前記ケース部材が駆動手段により動かされている間に前記蓄光部材の全体に光を照射し、前記駆動手段は、前記溝部のリング形状に沿ってケース部材の周囲に形成された被動ギア部と、前記被動ギア部に噛合される駆動ギアを有する回転駆動手段とから構成され、前記ケース部材は、前記回転駆動手段により回転駆動される駆動ギア及び前記被動ギア部を介して回転されることを特徴とする。
【００１０】
前記請求項２に係る遊技機の補助演出装置では、リング状の溝部に球状の蓄光部材が転動可能に多数充填された円形状のケース部材が、駆動手段を介して、ケース部材の周囲に配設された光源に対して動かされている間に、光源により蓄光部材の全体に光が照射されるように構成されているので、蓄光部材の全体に渡って均一に蓄光させることが可能となり、また、光源の消灯時に蓄光部材全体を効率良く発光させることが可能なる。
【００１１】
また、ケース部材は、駆動手段を構成する回転駆動手段により回転駆動される駆動ギア及びケース部材の周囲に形成された被動ギア部を介して回転されるように構成されているので、ケース部材の溝部内に転動可能に充填された蓄光部材は、ケース部材の回転中に光源を介して全体に均一に満遍なく光が照射されることとなり、これより蓄光部材の全体に均一に蓄光させることが可能となる。また、蓄光部材は球状であることからケース部材の回転時に溝部内で順次移動することが可能となり、これに基づき蓄光部材を更に全体に均一に蓄光させることが可能となる。
【００１２】
請求項３に係る遊技機の補助演出装置は、請求項２の補助演出装置において、前記リング状の溝部には、溝部内にて前記蓄光部材を所定量ずつ集合して整列させる複数個の突起状の整列部材が設けられていることを特徴とする。
【００１３】
請求項３に係る遊技機の補助演出装置では、蓄光部材は、ケース部材のリング状溝部に形成された整列部材により整列されるので、光源から発せられた光を、整列部材を介して整列された蓄光部材に均一に満遍なく照射することが可能となり、蓄光部材の全体に渡って均一に蓄光させて光源の消灯時に蓄光部材全体を効率良く発光させることが可能となる。
【００１４】
また、蓄光部材は、複数個の突起状の整列部材を介して所定量ずつ集合されるので、蓄光部材が溝部内で不均一に分布することを防止することが可能となり、これより光源から発せられた光を、蓄光部材に均一に満遍なく照射することが可能となる。
【図面の簡単な説明】
【００１５】
【図１】本実施形態に係る補助演出装置が使用されるパチンコ機の正面図である。
【図２】パチンコ機に使用される遊技盤の正面図である。
【図３】遊技盤に配設される補助演出装置の正面図である。
【図４】補助演出装置の背面図である。
【図５】補助演出装置の図３におけるＡ−Ａ線断面図である。
【図６】回転演出部材の正面図である。
【図７】回転演出部材の図６におけるＢ−Ｂ線断面図である。
【図８】回転演出部材のリング状溝部材に形成されたリング状溝部にて蓄光ビーズが集合整列された状態を拡大して模式的に示す説明図である。
【図９】補助演出装置の裏面ケースを取り除いて示す補助演出装置の背面図である。
【図１０】図９に示す補助演出装置から回転演出部材のリング状嵌合部材を取り除いて示す補助演出装置の背面図である。
【図１１】蓄光部材が発光する発光領域を模式的に示す補助演出装置の正面図である。
【発明を実施するための形態】
【００１６】
以下、本発明に係る遊技機の補助演出装置について、本発明を具体化した実施形態に基づき図面を参照しつつ説明する。
先ず、本実施形態に係る補助演出装置が適用されるパチンコ機の概略構成について図１及び図２に基づき説明する。
【００１７】
図１及び図２に示すように、本実施形態に係る補助演出装置が使用されるパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１においては、カード式球貸機の図示を省略している。パチンコ機１は、木製の外枠２１に対して合成樹脂製の前枠３が、前枠取付用ヒンジを構成する上ヒンジ３Ａ及び下ヒンジ３Ｂを介して外枠２１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤２上の遊技領域１１を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１８】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
【００１９】
また、この前面カバー部材４の下側には、公知の賞球払出装置（特開平１１−３０９２６５号公報等参照）を介して払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された不図示の発射装置へ送られるよう構成されている。
【００２０】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
【００２１】
遊技領域１１のほぼ中央には、開口部が開設され、この開口部の前面側に特別図柄表示装置１８が配設されている。この特別図柄表示装置１８は、遊技盤２の前面側から取り付けられる装飾部材１７と、遊技盤２の裏面側から取り付けられる液晶表示器（ＬＣＤ）１９等から構成されている。この液晶表示器１９は、左、中、右に３つの変動図柄を表示する液晶パネルであって、左下角部には、左右に２分割された普通図柄を表示する普通図柄表示部２０が構成されている。
一方、特別図柄表示装置１８の左側にはゲート２３が配設されている。また、ゲート２３と特別図柄表示装置１８の間には通常の風車２５が設けられている。
【００２２】
また、特別図柄表示装置１８の直下には、始動口３１が配設されている。この始動口３１には、パチンコ球の入賞を検出する始動口スイッチ（不図示）が設けられ、パチンコ球の入賞を検出することで液晶表示器１９に表示されている特別図柄が変動する。そして、特別図柄が変動中に始動口３１に入賞した場合には、入賞個数が４個まで記憶されて変動確定回数として保留される。
【００２３】
また、ゲート２３にはパチンコ球の通過を検出するゲートスイッチ（不図示）が備えられており、パチンコ球の通過を検出することで普通図柄表示部２０の普通図柄が変動する。そして、このゲート２３にパチンコ球が入って、普通図柄表示部２０の普通図柄が変動後、所定の表示態様で停止した場合（例えば、「１１」、「７７」のように揃った場合等）には、始動口３１に設けられるチューリップ式役物３１Ａが所定時間（約１秒間）開かれ、この始動口３１にパチンコ球が入賞する確率が増加する。
また、普通図柄が変動中にゲート２３をパチンコ球が通過した場合には、通過個数が４個まで記憶されて変動確定回数として保留される。
【００２４】
そして、始動口３１の下側には、横幅が広い上方に開口する開閉扉３９で前面部を覆われる大入賞口４０が形成された特別入賞装置４１が配設されている。また、この特別入賞装置４１の左右両側には、上方に開口する各入賞口４２、４３が前面側に突出して形成される。また、各入賞口４２、４３は、遊技盤２裏面の不図示の賞球樋に連通され、この各入賞口４２、４３への入賞を検出する入賞口スイッチ（不図示）が設けられている。また、特別入賞装置４１の直下にはレール１２に沿ってアウト口４６が開設されている。
【００２５】
また、特別図柄表示装置１８において、液晶表示器１９の上方には、補助演出装置５０が配設されている。
ここで、補助演出装置５０について図３乃至図１１に基づき説明する。
図３乃至図５に示されるように、補助演出装置５０は、正面ケース５１、背面ケース５２及び正面ケース５１と背面ケース５２との間に回転可能に配置された回転演出部材５３とから構成される。
【００２６】
正面ケース５１は、図５に示すように、外壁５１Ａ、中空部５１Ｂを形成する内壁５１Ｃ及び外壁５１Ａと内壁５１Ｃとを連結する傾斜壁５１Ｄから構成されている。また、正面ケース５１には、その外周の１箇所にて、後述する裏面ケース５２に設けられるギア収納部５２Ｄに収納される駆動ギア５８を正面側からカバーする蓋部５１Ｅが形成されている。
【００２７】
背面ケース５２は、正面ケース５１の外壁５１Ａに接合される外壁５２Ａ及び外壁５２Ａに連結される底壁５２Ｂとから構成されている。底壁５２Ｂには、円状孔５２Ｃが形成されている。また、背面ケース５２には、図４に示すように、後述する駆動ギア５８が収納されるギア収納部５２Ｄが一体に形成されている。かかるギア収納部５２Ｄは、正面ケース５１の蓋部材５１Ｅと協働して、駆動ギア５８を回転可能に収納する。
【００２８】
正面ケース５１と背面ケース５２との間には、回転演出部材５３が回転可能に配設されている。かかる回転演出部材５３について図６及び図７に基づき説明する。回転演出部材５３は、位置決め突起５３Ａが設けられた正面レンズ部材５３Ｂ、位置決め突起５３Ａの内側に内接して配置されるとともにリング状溝部５３Ｃが形成されたリング状溝部材５３Ｄ、リング状溝部材５３Ｄの外側に外接して配置され、正面レンズ部材５３Ｂの位置決め突起５３Ａの外側に接触する位置決め突起５３Ｅ及び位置決め突起５３Ｅの反対側で外周に被動ギア部５３Ｆが形成されたリング状ギア部材５３Ｇ、及び、リング状ギア部材５３Ｇの内側に配置されるとともにリング状溝部５３Ｃに嵌合される嵌合突起５３Ｈを有するリング状嵌合部材５３Ｉから構成されている。
【００２９】
尚、回転演出部材５３を構成する正面レンズ部材５３Ｂ、リング状溝部材５３Ｄ、リング状ギア部材５３Ｇ及びリング状嵌合部材５３Ｉは、共に透明樹脂から形成されており、従って、回転演出部材５３は、全体が透明となる。
【００３０】
また、正面レンズ部材５３Ｂの正面側表面（図７中右側表面）及び背面側表面（図７中左側表面）には、模様状の切込５３Ｊが形成されており、かかる模様状切込５３Ｊを介して、後述するＬＥＤ発光素子５７から発せられる光やＬＥＤ発光素子５７の消灯時に蓄光部材５５から発せられる光は、複雑に屈折して正面レンズ部材５３Ｂから正面側に透過される。これにより、複雑な電飾効果を実現することができる。
【００３１】
ここに、前記リング状嵌合部材５３Ｉの嵌合突起５３Ｈは、間隙５４が形成されるようにリング状溝部５３Ｃに嵌合されており、このように形成される間隙５４には、球状の蓄光部材５５（図８参照）が充填される。蓄光部材５５は、リング状溝部５３Ｃに形成される間隙５４内で遊動可能となるように適当な充填率をもって充填されている。蓄光部材５５は、蓄光性樹脂から直径１ｍｍ〜２ｍｍ程度の球状に成形されたものであり、通常は白色に近い色をしているが、光に照射されることにより蓄光され、光が遮断された状態で各種の色に発光可能である。この種の蓄光部材５５としては、多くの種類のサイズ、発光色を有するものが市販されており、いずれの蓄光部材であっても本実施形態に係る補助演出装置５０に使用することが可能である。
【００３２】
また、リング状溝部５３Ｃには、図８に示すように、その内側壁に突起状の整列部材５６が等間隔で形成されている。各整列部材５６は、蓄光部材５５を所定量ずつ集合して整列させるものである。
【００３３】
続いて、前記のように構成された補助演出装置５０において、蓄光性部材５０に蓄光させる構成及び回転演出部材５０を回転駆動する構成について図９、図１０に基づき説明する。
図９、図１０において、正面ケース５１における外壁５１Ａの内壁面には、５個のＬＥＤ発光素子５７が等角度（７２度間隔）で配設されている。各ＬＥＤ発光素子５７は、後述のように回転しながらリング状溝部５３Ｃに遊動可能に充填された蓄光部材５５に光を照射して、蓄光部材５５に蓄光させるものである。
【００３４】
背面ケース５２のギア収納部５２Ｄは、正面ケース５１蓋部５１Ｅと協働して、駆動ギア５８を回転可能に収納している。かかる駆動ギア５８は、リング状ギア部材５３Ｇの被動ギア部５３Ｆに噛合されている。また、駆動ギア５８の軸孔５８Ａには、図示しない駆動モータの駆動軸が固着されており、駆動モータが回転駆動されると、駆動ギア５８を介して被動ギア部５３Ｆが回転駆動される。これにより、回転演出部材５３が正面ケース５１と背面ケース５２とにより形成される空間内で回転される。
【００３５】
このように、回転演出部材５３が回転されている間に、各ＬＥＤ発光素子５７の発光制御が行われ、リング状溝部材５３Ｄのリング状溝部５３Ｃ内に充填されて転動されている蓄光部材５５に光が連続的に照射される。これにより、蓄光部材５５に対する蓄光が行われる。そして、各ＬＥＤ発光素子５７の消灯制御を行いながら、駆動モータ、駆動ギア５８及び被動ギア部５３Ｆを介して回転演出部材５３を回転させると、蓄光部材５５は、その発光特性に従って図１１に示すように発光領域５９にて発光することとなり、パチンコ機１において発生する各種のタイミングで前記動作を行うことにより、電飾効果を発現しながら各種の補助演出を行うことができる。
【００３６】
以上説明した通り本実施形態に係る補助演出装置５０では、回転演出部材５３が駆動モータ、駆動ギア５８及び被動ギア部５３Ｆを介して回転駆動されている間に、各ＬＥＤ発光素子５７の発光制御を介して蓄光部材５５に光が照射されるように構成されているので、回転演出部材５３の回転駆動に伴う蓄光部材５５の転動に対応して蓄光部材５５に蓄光させることができる。そして、各ＬＥＤ発光素子５７の消灯制御を行った際に、回転する回転演出部材５３の内部で蓄光部材５５を発光させることができる。
【００３７】
このとき、各ＬＥＤ発光素子５７の点灯時に各ＬＥＤ発光素子５７から発せられた光は、透明なリング状ギア部材５３Ｇ、リング状嵌合部５３Ｉ、正面レンズ部材５３Ｂから模様状の切込５３Ｊを介して、複雑に屈折して正面レンズ部材５３Ｂから正面側に透過され、これにより、複雑な電飾効果を実現することができる。
また、各ＬＥＤ発光素子５７の消灯時に蓄光部材５５から発せられた光は、透明なリング状溝部５３Ｃ、正面レンズ部材５３Ｂから模様状の切込５３Ｊを介して、複雑に屈折して正面レンズ部材５３Ｂから正面側に透過され、これにより、複雑な電飾効果を実現することができる。
【００３８】
また、本実施形態にかかる補助演出装置５０では、リング状溝部材５３Ｄに形成されたリング状溝部５３Ｃに球状の蓄光部材５５が遊動可能に多数充填された円形状の回転演出部材５３が、駆動モータ、駆動ギア５８及び被動ギア部５３Ｆを介して、正面ケース５１の外壁５１Ａの内壁面に配設された各ＬＥＤ発光素子５７に対して相対的に回転されている間に、各ＬＥＤ発光素子５７により蓄光部材５５の全体に光が照射されるように構成されているので、蓄光部材５５の全体に渡って均一に蓄光させることができ、また、各ＬＥＤ発光素子５７の消灯時に蓄光部材５５全体を効率良く発光させることができる。
【００３９】
また、回転演出部材５３は、駆動モータにより回転駆動される駆動ギア５８及びリング状ギア部材５３Ｇの被動ギア部５３Ｆを介して回転されるように構成されているので、回転演出部材５３におけるリング状溝部材５３Ｄのリング状溝部５３Ｃ内に遊動可能に充填された蓄光部材５５は、回転演出部材５３の回転中に各ＬＥＤ発光素子５７を介して全体に均一に満遍なく光が照射されることとなり、これより蓄光部材５５の全体に均一に蓄光させることができる。また、蓄光部材５５は球状であることからリング状溝部材５３Ｄのリング状溝部５３Ｃ内で順次移動して転動することが可能となり、これに基づき蓄光部材５５を更に全体に均一に蓄光させることができる。
【００４０】
また、蓄光部材５５は、回転演出部材５３におけるリング状溝部材５３Ｄのリング状溝部５３Ｃに形成された各整列部材５６により所定量ずつ集合して整列されるので、各ＬＥＤ発光素子５７から発せられた光を、各整列部材５６を介して整列された蓄光部材５５に均一に満遍なく照射することが可能となり、蓄光部材５５の全体に渡って均一に蓄光させて各ＬＥＤ発光素子５７の消灯時に蓄光部材５５全体を効率良く発光させることができる。
【００４１】
また、蓄光部材５５は、複数個の突起状の整列部材５６を介して所定量ずつ集合されるので、蓄光部材５５がリング状溝部５３Ｃ内で不均一に分布することを防止することが可能となり、これより各ＬＥＤ発光素子５７から発せられた光を、蓄光部材５５に均一に満遍なく照射することができる。
【００４２】
尚、本発明は前記実施形態に限定されるものではなく、本発明の要旨を逸脱しない範囲内で種々の改良、変更が可能であることは勿論である。例えば、前記実施形態に係る補助演出装置５０では、回転演出部材５３が駆動モータ、駆動ギア５８及び被動ギア部５３Ｆを介して回転されるように構成されているが、これに限らず、蓄光部材５５がリング状溝部材５３Ｄのリング状溝部５３Ｃ内で転動可能である限り、回転演出部材５３は回転以外の直線状或いは円弧状の運動、その他各種の運動形態を伴うものであっても良い。
また、前記実施形態では、リング状溝部材５３Ｄのリング状溝部５３Ｃ内に蓄光部材５５を充填収容するように構成されているが、溝部の形状はこれに限られることはなく、例えば、演出部材が動く方向に沿って溝部が形成されていれば、溝部の形状に依存することなく蓄光部材を転動させることができる。
【符号の説明】
【００４３】
１                      パチンコ機
２                      遊技盤
５０                    補助演出装置
５１                    正面ケース
５２                    背面ケース
５３                    回転演出部材
５３Ｂ                  正面レンズ部材
５３Ｃ                  リング状溝部
５３Ｄ                  リング状溝部材
５３Ｆ                  被動ギア部
５３Ｇ                  リング状ギア部材
５３Ｉ                  リング状嵌合部材
５５                    蓄光部材
５６                    整列部材
５７                    ＬＥＤ発光素子
５８                    駆動ギア
５９                    発光領域
【図１】
2011092393.tif 000003
【図２】
2011092393.tif 000004
【図３】
2011092393.tif 000005
【図４】
2011092393.tif 000006
【図５】
2011092393.tif 000007
【図６】
2011092393.tif 000008
【図７】
2011092393.tif 000009
【図８】
2011092393.tif 000010
【図９】
2011092393.tif 000011
【図１０】
2011092393.tif 000012
【図１１】
2011092393.tif 000013